【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
可塑化ポリビニルブチラール組成物であって、
１７重量％〜２３重量％の残存ヒドロキシルを有する、ポリビニルブチラール；
ポリビニルブチラール１００部当たり３０〜５０部（ｐｐｈ）の量の可塑剤；ならびに
４：１〜５：１（重量：重量、カリウム：マグネシウム）の範囲の比のカリウム塩とマグネシウム塩との混合物を含む接着調整剤
を有し、塩が、組成物の総重量に基づいて１０００ｐｐｍまでの総濃度で含まれることを特徴とする可塑化ポリビニルブチラール組成物。
【請求項２】
塩が総濃度２００〜１０００ｐｐｍで含まれることを特徴とする請求項１に記載の可塑化ポリビニルブチラール組成物。
【請求項３】
塩が総濃度３００〜８００ｐｐｍで含まれることを特徴とする請求項１に記載の組成物。
【請求項４】
該マグネシウム塩は、酢酸、ギ酸、クエン酸、ステアリン酸、２−エチルヘキサン酸、２−エチル酪酸、ヘプタン酸、プロパン酸、ペンタン酸、ヘキサン酸、ヘプタン酸、およびラウリン酸からなる群から選択される酸から得られるカルボン酸塩であることを特徴とする請求項１に記載の可塑化ポリビニルブチラール組成物。
【請求項５】
該カリウム塩は、酢酸、ギ酸、クエン酸、ステアリン酸、２−エチルヘキサン酸、２−エチル酪酸、ヘプタン酸、プロパン酸、ペンタン酸、ヘキサン酸、ヘプタン酸、およびラウリン酸からなる群から選択される酸から得られるカルボン酸塩であることを特徴とする請求項４に記載の可塑化ポリビニルブチラール組成物。
【請求項６】
該可塑剤は、ジ（２−ヘプタン酸）テトラエチレングリコール（４Ｇ７）、ジ（２−エチルヘキサン酸）トリエチレングリコール（３ＧＯ）、またはセバシン酸ジブチル（ＤＢＳ）からなる群から選択されることを特徴とする請求項５に記載の可塑化ポリビニルブチラール組成物。
【請求項７】
該可塑剤は、ポリビニルブチラール１００部当たり３０〜４０部（ｐｐｈ）の量で含有されていることを特徴とする請求項６に記載の可塑化ポリビニルブチラール組成物。
【請求項８】
該可塑剤は、ポリビニルブチラール１００部当たり３２〜４５部（ｐｐｈ）の量で含有されていることを特徴とする請求項６に記載の可塑化ポリビニルブチラール組成物。
【請求項９】
該ポリビニルブチラールは、１８．５重量％〜１９．５重量％の残存ヒドロキシルを有することを特徴とする請求項６に記載の可塑化ポリビニルブチラール組成物。
【請求項１０】
ポリビニルブチラール１００部当たり０．１０〜０．７０部の界面活性剤をさらに含み、該界面活性剤は、ラウリル硫酸ナトリウム、ジオクチルスルホコハク酸ナトリウム、ココメチルタウリドナトリウム、およびデシル（スルホフェノキシ）ベンゼンスルホン酸ジナトリウム塩からなる群から選択されることを特徴とする請求項６に記載の可塑化ポリビニルブチラール組成物。
【請求項１１】
該可塑剤は、テトラエチレングリコールジ（２−ヘキサノエート）であることを特徴とする請求項５に記載の可塑化ポリビニルブチラール組成物。
【請求項１２】
ポリビニルブチラール１００部当たり０．１０〜０．７０部のジオクチルスルホコハク酸ナトリウムをさらに含むことを特徴とする請求項１１に記載の可塑化ポリビニルブチラール組成物。
【請求項１３】
該可塑剤は、セバシン酸ジブチル（ＤＢＳ）であることを特徴とする請求項５に記載の可塑化ポリビニルブチラール組成物。
【請求項１４】
該カリウム塩は、酢酸、ギ酸、クエン酸、ステアリン酸、２−エチルヘキサン酸、２−エチル酪酸、ヘプタン酸、プロパン酸、ペンタン酸、ヘキサン酸、ヘプタン酸、およびラウリン酸からなる群から選択される酸から得られるカルボン酸塩であることを特徴とする請求項１に記載の可塑化ポリビニルブチラール組成物。
【請求項１５】
該可塑剤は、６から１０炭素原子を有する脂肪族カルボン酸とトリエチレングリコールまたはテトラエチレングリコールの反応により得られるジエステル類、および１から１８炭素原子を有する脂肪族アルコールとセバシン酸の反応によりえら得るジエステル類からなる群から選択されることを特徴とする請求項１に記載の可塑化ポリビニルブチラール組成物。
【請求項１６】
該可塑剤は、ポリビニルブチラール１００部当たり３０〜４５部（ｐｐｈ）の量で含有されていることを特徴とする請求項１５に記載の可塑化ポリビニルブチラール組成物。
【請求項１７】
該可塑剤は、テトラエチレングリコールジ（２−ヘキサノエート）であることを特徴とする請求項１に記載の可塑化ポリビニルブチラール組成物。
【請求項１８】
該ポリビニルブチラールは、１８重量％〜２１重量％の残存ヒドロキシルを有することを特徴とする請求項１に記載の可塑化ポリビニルブチラール組成物。
【請求項１９】
ポリビニルブチラール１００部当たり０．１０〜０．７０部の界面活性剤をさらに含み、該界面活性剤は、ラウリル硫酸ナトリウム、ラウリル硫酸アンモニウム、ジオクチルスルホコハク酸ナトリウム、６〜１２個の炭素原子を有するペルフルオロカルボン酸アンモニウム塩、アリールスルホン酸ナトリウム類、塩素化シクロペンタジエンおよび無水マレイン酸の付加物、部分中和されたポリメタクリル酸、アルキルアリールスルホネート、Ｎ−オレイル−Ｎ−メチルタウリンナトリウム、アルキルアリールポリエーテルスルホン酸ナトリウム、トリエタノールアミンラウリル硫酸、ラウリル硫酸ジエチルジシクロヘキシルアンモニウム、第２級アルキル硫酸ナトリウム塩、硫酸化脂肪酸エステル、および硫酸化アリールアルコールからなる群から選択されることを特徴とする請求項１に記載の可塑化ポリビニルブチラール組成物。
【請求項２０】
可塑化ポリビニルブチラール組成物であって、
１７重量％〜２３重量％の残存ヒドロキシルを有する、ポリビニルブチラール；
ポリビニルブチラール１００部当たり３０〜５０部（ｐｐｈ）の量のジ（２−ヘプタン酸）テトラエチレングリコールを有する可塑剤；ならびに
２：１〜５：１（重量：重量、カリウム：マグネシウム）の範囲の比のカリウム塩とマグネシウム塩との混合物を含む接着調整剤
を有し、塩が、組成物の総重量に基づいて１０００ｐｐｍまでの総濃度で含まれることを特徴とする可塑化ポリビニルブチラール組成物。
【請求項２１】
前記比が３：１〜５：１であることを特徴とする請求項２０に記載の可塑化ポリビニルブチラール組成物。
【請求項２２】
前記比が４：１〜５：１であることを特徴とする請求項２１に記載の可塑化ポリビニルブチラール組成物。
【請求項２３】
塩が総濃度２００〜１０００ｐｐｍで含まれることを特徴とする請求項２０に記載の可塑化ポリビニルブチラール組成物。
【請求項２４】
前記比が３：１〜５：１であることを特徴とする請求項２０に記載の可塑化ポリビニルブチラール組成物。
【請求項２５】
前記比が４：１〜５：１であることを特徴とする請求項２４に記載の可塑化ポリビニルブチラール組成物。
【請求項２６】
ガラス／ポリビニルブチラール積層体中のガラスに対するポリビニルブチラールの接着性を調整する方法であって、接着調整剤をポリビニルブチラールおよび可塑剤と混合して可塑化ポリビニルブチラール組成物を得る工程を含み、接着調整剤が４：１〜５：１（重量：重量、カリウム：マグネシウム）の範囲の比のカリウム塩とマグネシウム塩との混合物を含み、塩が、可塑化ポリビニルブチラール組成物の総重量に基づいて１０００ｐｐｍまでの濃度で含まれることを特徴とする方法。
【請求項２７】
ガラス／ポリビニルブチラール積層体中のガラスに対するポリビニルブチラールの接着性を調整する方法であって、
（ａ）  接着調整剤をポリビニルブチラールおよび可塑剤と混合して、可塑化ポリビニルブチラール組成物を得る工程であって、接着調整剤が４：１〜５：１（重量：重量、カリウム：マグネシウム）の範囲の比のカリウム塩とマグネシウム塩との混合物を含み、塩が、可塑化ポリビニルブチラール組成物の総重量に基づいて１０００ｐｐｍまでの濃度で含まれる工程と、
（ｂ）  可塑化ポリビニルブチラールのシートを形成する工程と、
（ｃ）  ガラスシートに対して該シートを積層してガラス／ポリビニルブチラール積層体を形成する工程と
を含むことを特徴とする方法。
【請求項２８】
該シート形成工程は、１７５℃から２２５℃の温度において、可塑化ポリビニルブチラール組成物を共押出する工程を含むことを特徴とする請求項２７に記載の方法。
【請求項２９】
該ポリビニルブチラールは、１７重量％〜２３重量％の残存ヒドロキシルを有し、該ポリビニルブチラール組成物は、ポリビニルブチラール１００部当たり３０〜５０部（ｐｐｈ）の量の可塑剤を含有することを特徴とする請求項２７に記載の方法。
【請求項３０】
ガラス／ポリビニルブチラール積層体中のガラスに対するポリビニルブチラールの接着性を調整する方法であって、接着調整剤をポリビニルブチラールおよびジ（２−ヘプタン酸）テトラエチレングリコール可塑剤と混合して可塑化ポリビニルブチラール組成物を得る工程を含み、接着調整剤が２：１〜５：１（重量：重量、カリウム：マグネシウム）の範囲の比のカリウム塩とマグネシウム塩との混合物を含み、塩が、可塑化ポリビニルブチラール組成物の総重量に基づいて１０００ｐｐｍまでの濃度で含まれることを特徴とする方法。
【請求項３１】
ガラス／ポリビニルブチラール積層体中のガラスに対するポリビニルブチラールの接着性を調整する方法であって、
（ａ）  接着調整剤をポリビニルブチラールおよびジ（２−ヘプタン酸）テトラエチレングリコール可塑剤と混合して、可塑化ポリビニルブチラール組成物を得る工程であって、接着調整剤が２：１〜５：１（重量：重量、カリウム：マグネシウム）の範囲の比のカリウム塩とマグネシウム塩との混合物を含み、塩が、可塑化ポリビニルブチラール組成物の総重量に基づいて１０００ｐｐｍまでの濃度で含まれる工程と、
（ｂ）  可塑化ポリビニルブチラールのシートを形成する工程と、
（ｃ）  ガラスシートに対して該シートを積層してガラス／ポリビニルブチラール積層体を形成する工程と
を含むことを特徴とする方法。
【請求項３２】
該積層体の接着性が１０００Ｎ／ｃｍ２から１７７５Ｎ／ｃｍ２までの範囲内であることを特徴とする請求項３１に記載の方法。
【請求項３３】
該ポリビニルブチラールは、１７重量％〜２３重量％の残存ヒドロキシルを有し、該ポリビニルブチラール組成物は、ポリビニルブチラール１００部当たり３０〜５０部（ｐｐｈ）の量の可塑剤を含有することを特徴とする請求項３１に記載の方法。
【手続補正２】
【補正対象書類名】明細書
【補正対象項目名】０００９
【補正方法】変更
【補正の内容】
【０００９】
一態様では、本発明は、ガラス／ＰＶＢ積層体中のガラスに対するＰＶＢの接着性を調製する方法であって、接着調整剤をＰＶＢおよび可塑剤と混合して可塑化ＰＶＢ組成物を得る工程を含み、接着調整剤が、約０．０５：１〜約５：１（重量：重量、カリウムイオン：マグネシウムイオン)の範囲の比のカリウム塩とマグネシウム塩との混合物を含み、塩が、可塑化ＰＶＢ組成物の総重量に基づいて１０００ｐｐｍまでの濃度で含まれる。
前述の比は、好ましくは約１：１〜約５：１であり、より好ましくは約２：１〜約５：１であり、さらにより好ましくは約３：１〜約５：１であり、および最も好ましくは約４：１〜約５：１である。
前述の塩は、好ましくは約２００〜約１０００ｐｐｍ、より好ましくは約２５０〜約９００ｐｐｍ、および最も好ましくは約３００〜約８００ｐｐｍの総濃度で含まれる。
【手続補正３】
【補正対象書類名】明細書
【補正対象項目名】００１０
【補正方法】変更
【補正の内容】
【００１０】
別の態様では、本発明は、可塑化ポリビニルブチラール（ＰＶＢ）組成物であって、約１７重量％〜約２３重量％の残存ヒドロキシル、ＰＶＢに対して約３０〜約５０ｐｐｈ（１００分の１）の量の可塑剤、ならびに約０．０５：１〜約５：１（重量：重量、カリウムイオン：マグネシウムイオン)の範囲の比のカリウム塩とマグネシウム塩との混合物を含む接着調整剤を有し、塩が１０００ｐｐｍ未満までの総濃度で含まれる。
【手続補正４】
【補正対象書類名】明細書
【補正対象項目名】００１７
【補正方法】変更
【補正の内容】
【００１７】
本発明の可塑剤は、可塑化ＰＶＢシーティング組成物を作製する際に従来的に知られているまたは使用されるいずれからでも選択することができる。本明細書で使用する可塑剤は、トリエチレングリコールまたはテトラエチレングリコールと６〜１０個の炭素原子を有する脂肪族カルボン酸との反応により得られたジエステル；およびセバシン酸と１〜１８個の炭素原子を有する脂肪族アルコールとの反応により得られたジエステルが好ましい。可塑剤は、ジ（２−ヘプタン酸）テトラエチレングリコール（４Ｇ７）、ジ（２−エチルヘキサン酸）トリエチレングリコール（３ＧＯ）またはセバシン酸ジブチル（ＤＢＳ）がより好ましい。可塑剤は、３ＧＯが最も好ましい。